(57)【特許請求の範囲】
【請求項１】
記録信号が一時的に記憶されるバッファ用ＲＡＭに記憶されている信号の量がディスクへの記録動作を行っているとき中断設定値以下になるとディスクへの記録動作を中断させるとともに該バッファ用ＲＡＭに記憶されている信号の量が再開設定値まで増加したとき中断前にディスク記録された信号を再生させ、その再生された信号より得られる同期信号と記録用基準信号との同期処理に基づいて記録中断位置より記録動作を再開させるように構成された光ディスク記録再生装置において、記録動作開始後ディスクに記録された信号量が所定量に達する前に記録中断動作が行われたとき、ディスクのウォブル信号より得られる同期信号と記録用基準信号との同期処理に基づいて記録動作を再開させるようにしたことを特徴とする光ディスク記録再生装置の記録制御方法。
【請求項２】
ディスクに記録された信号量を記録信号のブロック数にて測定するようにしたことを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
斯かる光ディスク記録再生装置では、ディスクに設けられているウォブルと呼ばれる溝より得られるウォブル信号から得られる同期信号と記録用の基準信号とに基づいて記録動作を行うように構成されている。
【０００４】
【発明が解決しようとする課題】
光ディスク記録再生装置では、ホスト機器であるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００５】
ディスクへの信号の記録動作が正常に行われている状態では、コンピューター装置より出力される記録信号のバッファ用ＲＡＭへの書き込み動作及び該バッファ用ＲＡＭからの信号の読み出し動作、そして読み出された信号のディスクへの記録動作が記録信号の量やディスクへの記録状況に対応して行われる。
【０００６】
信号の記録動作を行っている状態において、バッファ用ＲＡＭに記憶されている記録信号の量が不足するとディスクへの信号の記録動作が行えない状態、所謂バッファアンダーランと呼ばれる状況になる。斯かる問題を解決する方法として、バッフア用ＲＡＭに記憶されている記録信号の量が所定値、即ち中断設定値以下になると、ディスクへの記録動作を一旦停止させ、バッフア用ＲＡＭに記憶されている記録信号の量が所定値、即ち再開設定値より多くなったとき、ディスクへの記録動作を再開させるようにした技術が開発されている。
【０００７】
バッファアンダーランの問題を解決する方法として記録中断動作及び記録再開動作を行う方法があるが、記録再開動作は、記録中断前にディスクに記録されている信号を再生し、その再生された信号に含まれる同期信号と記録用基準信号とを同期させ、その同期化が行われたとき記録動作を再開させるように構成されている。しかしながら、前記同期信号と記録用基準信号との同期がとれたとき直ちに記録動作を再開させることはなく、同期化後記録信号を構成するフレームの数が所定数に達したとき記録動作を再開させるように構成されている。
【０００８】
前述した記録中断再開動作を行う技術は、バッファアンダーランを防止するために開発されたものであるが、斯かる技術をショックにより記録動作が中断された場合に利用することが出来る。
【０００９】
前述した記録中断動作後の記録再開動作は、ディスクから再生される信号に含まれる同期信号と記録用基準信号との同期処理が行われたときに行われるが、斯かる同期処理を行うためには、再生信号として、例えば１０ブロックの再生信号を必要とする。ディスクの記録領域の最初の部分に信号の記録動作を開始した後直ちに記録動作が中断されると、即ち１０ブロックの信号が記録されない内に記録動作が中断されると記録動作を再開させるための同期処理を行うことが出来ないので、エラーと判断されてディスクへの信号の記録動作を行うことが出来ないという問題が発生していた。
【００１０】
本発明は、斯かる問題を解決することが出来る光ディスク記録再生装置の記録制御方法を提供しようとするものである。
【００１１】
【作用】
本発明は、記録信号が一時的に記憶されるバッファ用ＲＡＭに記憶されている信号の量がディスクへの記録動作を行っているとき中断設定値以下になるとディスクへの記録動作を中断させるとともに該バッファ用ＲＡＭに記憶されている信号の量が再開設定値まで増加したとき中断前にディスク記録された信号を再生させ、その再生された信号より得られる同期信号と記録用基準信号との同期処理に基づいて記録中断位置より記録動作を再開させるように構成された光ディスク記録再生装置において、記録動作開始後ディスクに記録された信号量が所定量に達する前に記録中断動作が行われたとき、ディスクのウォブル信号より得られる同期信号と記録用基準信号との同期処理に基づいて記録動作を再開させるように構成されている。
【００１２】
【実施例】
図１は本発明に係る光ディスク記録再生装置の一実施例を示すブロック回路図、図２は本発明の記録制御方法を説明するための動作説明図である。
【００１３】
図１において、１はスピンドルモーターによって回転駆動されるターンテーブル（図示せず）に載置されるディスクであり、該ターンテーブルの回転により回転駆動されるように構成されている。また。前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１４】
３は前記光学式ピックアップ２に組み込まれている光検出器から得られるＲＦ信号を増幅するとともに波形成形するＲＦ信号増幅回路、４は前記ＲＦ信号増幅回路３等を介して得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１５】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１６】
８は前記デジタル信号処理回路５により復調された信号が入力されるとともに前記コンピューター装置７から出力される命令信号に応じて種々な制御動作を行うシステム制御回路である。９はテスト信号や情報信号等の記録信号が入力されるとともにその信号に対応させてレーザー駆動回路１０によるレーザーの照射動作を制御することによってデータ信号等を前記ディスク１に記録させる信号記録用回路である。また、前記レーザー駆動回路１０は前記光学式ピックアップ２に組み込まれているモニター用ダイオードより得られる信号に基づいてレーザー出力を制御するレーザーサーボ回路が組み込まれている。
【００１７】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。
【００１８】
１２は前記システム制御回路８によって動作が制御されるスピンドルモーター駆動回路であり、ディスク１を回転駆動させるスピンドルモーターを記録及び再生動作を行うための速度にて回転駆動制御する作用を有している。１３はディスク１に信号を記録するために使用される記録用基準信号を生成する基準信号生成回路、１４はディスク１より再生される同期信号と前記基準信号生成回路１３より生成される記録用基準信号とが同期化されているか否かを検出する同期検出回路である。１５は前記ピックアップ制御回路４に組み込まれているサーボ回路より得られるサーボ信号のレベル変化を検出し、そのレベルが所定のレベル、即ちエラー検出レベルを越えたか否かを検出するサーボエラー検出回路であり、検出出力をシステム制御回路８に出力するように構成されている。
【００１９】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。そして、ディスク１への信号の記録動作が中断された後、再度記録動作を再開させる場合には、前記バッファ用ＲＡＭ１１に記憶保持されている信号とディスク１に中断前に記録された信号との比較動作を行い、中断前に記録されていた信号に連続して信号が記録されるように、即ちシームレスと呼ばれる方式にて信号が記録されるように構成されている。
【００２０】
また、ディスク１への信号の記録動作が行われている間、システム制御回路８内に設けられているメモリー回路に正常記録動作が行われた位置の最終アドレスが記憶されるように構成されている。記録動作時にバッフア用ＲＡＭに記憶されている記録信号の量が不足するバッファアンダーラン状態になり、記録動作が中断された場合には、前記メモリー回路に記憶されている最終アドレスに基づいて中断した位置より信号をシームレスにて記録動作を行うことが出来るように構成されている。
【００２１】
また、ディスク１への信号の記録動作が開始されると記録開始からの記録信号量を信号のブロック数をカウントすることによって測定するように構成されている。そして、記録中断動作が行われたとき、前記記録信号の量が所定量より多い場合には、記録再開時の同期処理をディスクに記録された信号を再生することによって得られる同期信号と記録用基準信号とによって行うが、記録信号の量が所定量より少ない場合には、記録再開時の同期処理をウォブル信号より得られる同期信号と記録用基準信号とによって行うように構成されている。
【００２２】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２３】
斯かる再生動作のための制御動作が開始されると、スピンドルモーター駆動回路１２によるスピンドルモーターの回転制御動作が行われるが、斯かるスピンドルモーターの回転制御動作は、ウォブル信号をデコードして得られる同期信号とシステム制御回路８内に設けられている基準信号生成回路（図示せず）より出力される基準信号とを比較することによりディスク１を線速度一定にて回転駆動するように行われる。斯かるスピンドルモーターの回転制御動作は、後述する信号の記録動作時にも同様に行われる。
【００２４】
スピンドルモーターの回転制御動作は、以上の如く行われるが、信号の読み出し動作を行う光学式ピックアップ２では、ピックアップ制御回路４によるフォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２５】
ディスク１に記録されている最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２６】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２７】
以上に説明したように本実施例における再生動作は行われるが、次にディスク１への信号の記録動作について説明する。
【００２８】
ディスク１に信号を記録する動作は、まずディスク１に設けられている試し書き領域にテスト信号を記録することによってディスク１の特性に最も適したレーザー出力を設定するための動作が行われる。斯かる設定動作は、レーザー出力を変化させながらテスト信号を記録するとともにその記録された信号を再生することにより行われるが、斯かる動作は周知であるのでその説明は省略する。
【００２９】
斯かるレーザー出力の設定動作が行われると、ディスク１のバッファと呼ばれる領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００３０】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われと、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００３１】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをメモリー回路に記憶する動作が行われている。
【００３２】
そして、ディスク１への信号の記録動作を行っている状態において、コンピューター装置７より出力されてバッファ用ＲＡＭ１１に書き込まれる信号の量がディスク１に記録されるために読み出される信号の量に比較して少なくなると、該バッファ用ＲＡＭ１１に記憶されている記録信号の量が次第に減少することになる。前記バッファ用ＲＡＭ１１に記憶されている記録信号の量が減少して所定の量になると、即ち、バッファアンダーラン状態になると、ディスク１への記録動作を中断させる制御動作が行われる。斯かる中断動作が行われると、前記バッファ用ＲＡＭ１１からの信号の読み出し動作も中断されることになる。
【００３３】
斯かる状態において、コンピューター装置７より記録信号が出力されると、その記録信号を前記バッファ用ＲＡＭ１１に書き込む制御動作が行われることになり、該バッファ用ＲＡＭ１１に記憶されている記録信号の量が次第に増加することになる。前記バッファ用ＲＡＭ１１に記憶されている記録信号の量が増加し、その量が所定量に達すると、記録動作を再開させるための制御動作が行われる。
【００３４】
斯かる記録再開動作は、まず、光学式ピックアップ２を記録動作を開始させる位置、即ち記録動作を中断した位置より後退させた位置に変位させた後、その位置より再生動作を行うことより行われる。記録を中断させた位置は、正常記録動作が行われる毎にメモリー回路に記憶されている最終アドレスより容易に認知することが出来るとともに光学式ピックアップ２を所望の位置に移動させることが出来る。
【００３５】
斯かる再生動作によって再生される信号は、記録動作を中断させる直前に記録されていた信号であり、斯かる再生信号と前記バッファ用ＲＡＭ１１に記憶保持されている信号との比較動作を行う。斯かる比較動作によって、両者が同一信号であると判定された場合には、前記バッファ用ＲＡＭ１１に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも関わらず信号を連続して記録する動作、所謂シームレス記録動作を行うことが出来る。
【００３６】
以上に説明したように記録中断再開動作時における信号の制御動作は行われるが、次に記録中断位置から記録動作を再開させるための制御動作について説明する。斯かる制御動作は、中断前にディスク１に記録されている信号の読み出し動作を行い、その読み出された信号の中から基準信号である同期信号を検出する。一方基準信号生成回路１３より生成される記録用基準信号と前述したディスク１より得られる同期信号との同期合わせ処理動作が行われる。そして、斯かる同期合わせ処理動作に伴う両基準信号間の同期がとれたか否かの検出動作は同期検出回路１４によって行われる。
【００３７】
前記同期検出回路１４によって両基準信号間の同期がとれたことが検出されると、同期化後記録信号を構成するフレーム数が所定数に達したときディスク１への記録動作が開始される。斯かるフレーム数は、記録中断位置と記録開始のための処理動作が完了するまでに要する時間を考慮して設定される。そして、本発明では、同期化後も同期検出回路１４が基準信号生成回路１３より生成される記録用基準信号とディスク１より得られる基準信号との同期ずれが発生しないか否かの検出動作を行っており、同期ずれが発生しない場合に記録動作を再開させるように構成されている。
【００３８】
バッファ用ＲＡＭ１１に記憶されている記録信号の量が不足するバッファアンダーランの状態になった場合に行われる記録中断再開動作は、以上に説明したように行われるが、斯かる動作について図２の（Ａ）を参照して説明する。同図において、Ｔ０点がバッファアンダーラン状態になることが検出されることによって記録動作が中断された位置である。ｔ０点が記録動作を再開するための処理動作によって信号の読み出し動作が開始される地点であり、読み出された信号とバッファ用ＲＡＭ１１に記憶されている信号との比較動作、同期信号との比較動作が開始される地点である。斯かる比較処理動作等が行われ、Ｔ０点で記録動作が再開されることになる。斯かる記録再開動作が行われる結果、前述したシームレス記録動作を行うことが出来る。
【００３９】
前述したようにバッファアンダーラン発生時の記録中断再開動作は行われるが、図２の（Ａ）において、ｔ０点からＴ０点間が同期処理が行われる期間であり、その間の記録信号量は、例えば１０ブロックに設定されている。
【００４０】
以上に説明したように本実施例における記録動作は行われるが、次にショックを受けた場合の動作について説明する。記録動作中に光ディスク記録再生装置が外部よりショックを受けると、ピックアップ制御回路４によるサーボ動作に伴ってトラッキングサーボ信号のレベルが異常に大きくなる。斯かる信号は、トラッキングエラー信号と呼ばれるものであり、その信号レベルの変化がサーボエラー検出回路１５によって検出される。
【００４１】
前記サーボエラー検出回路１５によってサーボ信号のレベルがエラー検出レベルを越えたことが検出されると、その検出出力がシステム制御回路８に入力される。前記サーボエラー検出回路１５からの検出出力がシステム制御回路８に入力されると、該システム制御回路８は記録動作を正常に続けることが出来ない状況になったと判定し、記録動作の中断処理動作を行う。
【００４２】
このようにして記録中断動作が行われると、記録再開のための制御動作が開始されるが、斯かる制御動作は、先ず光学式ピックアップ２を記録中断位置より後退させた位置に変位させた後、その位置より再生動作を開始させることから行われる。記録を中断させた位置は、正常記録動作が行われる毎にメモリー回路に記憶されている最終アドレスより容易に認知することが出来るので、光学式ピックアップ２を所望の位置に移動させることが出来る。また、光学式ピックアップ２を所望の位置に移動させると、ピックアップ制御回路４による制御動作が行われ、ディスク１に記録されている信号の再生動作を行うことが出来る状態に復帰せしめられる。
【００４３】
斯かる再生動作によって再生される信号は、記録動作を中断させる直前に記録されていた信号であり、斯かる再生信号と前記バッファ用ＲＡＭ１１に記憶保持されている信号との比較動作を行う。斯かる比較動作によって、両者が同一信号であると判定された場合には、前記バッファ用ＲＡＭ１１に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも関わらず信号を連続して記録する動作、所謂シームレス記録動作を行うことが出来る。
【００４４】
前述したようにショックによって記録動作が中断された場合における記録再開動作は行われるが、斯かる場合における同期処理動作も図２の（Ａ）に示すｔ０点からＴ０点間の期間に行われる。
【００４５】
以上に説明したようにバッファアンダーラン発生時及びショックを受けた場合における記録中断再開動作は行われるが、次に本発明の要旨について説明する。
【００４６】
図２の（Ａ）において、Ｒ点をディスク１に設けられている記録領域の開始地点とした場合、記録中断位置であるＴ０点とＲ点との間の記録信号量が同期処理を行うために必要な１０ブロック以上あるため、前述した同期処理動作を正常に行うことが出来る。
【００４７】
本発明は、信号の記録動作を開始した後同期処理を行うことが出来ない量の信号が記録された時点で、ショック等に起因して記録動作が中断された場合における問題を解決することを目的とするものであり、図２の（Ｂ）を参照して説明する。
【００４８】
図２の（Ｂ）において、Ｒ点がディスク１に設けられている記録領域の開始地点であり、Ｔ１点が記録動作の中断地点である。この場合、Ｒ点とＴ１点との間に記録されている信号の量は、記録再開時の同期処理を行うために必要な１０ブロックより少ないため同期処理動作を行うことが出来ず記録中断位置であるＴ１点より記録動作を開始させることは出来ない。また、Ｔ１点より先には、信号が記録されていないので、同期信号を得ることが出来ず同期処理は行えないことになる。
【００４９】
本発明では、Ｒ点より記録動作が開始されたとき、記録信号の量をブロックの数をカウントすることによって測定するように構成されている。従って、Ｔ１点で記録動作が中断された場合には、同期処理が行えない状態にあることを認識することが出来る。斯かる場合には、記録動作を再開させるための同期処理をディスク１に記録された信号から得られる同期信号ではなく、ウォブル信号より得られる同期信号と記録用の基準信号とを同期させることによって記録動作を開始させるための処理動作を行う。
【００５０】
斯かる同期処理動作によって信号の記録動作が開始されるが、この場合における同期処理動作も１０ブロック分の同期信号に基づいて行われる。前述したウォブル信号は、記録中断動作が行われた位置であるＴ１点の先からも得ることが出来るので、同期処理動作をＴ１点の先においても行うことが出来る。そして、同期処理が行われると記録動作が再開されることになるが、この場合には、記録中断位置と記録開始位置との間にズレが生じることになる。
【００５１】
ＣＤ規格では、記録開始地点より記録信号であるデータ信号が記録される位置との間には、コンピューター装置７より出力される信号によってプリギャップと呼ばれる領域が形成されるように構成されている。そして、このプリギャップの記録時間長は２秒（１５０ブロックの長さに相当）と規定されており、その長さは記録再開位置と記録中断位置との間のズレよりも長いので、このように記録されたデータ信号の再生動作は支障無く行うことが出来る。
【００５２】
尚、本実施例において、ディスク１の記録領域の開始地点は、オーディオ信号を内周側より外周側まで記録する方式、即ちディスクアットワンスと呼ばれる記録方式では、ディスク１の記録信号領域の最初の領域になり、各トラック毎に信号を記録する方式、即ちトラックアットワンスと呼ばれる記録方式では、各トラックの最初の領域となる。
【００５３】
【発明の効果】
本発明は、記録信号が一時的に記憶されるバッファ用ＲＡＭに記憶されている信号の量がディスクへの記録動作を行っているとき中断設定値以下になるとディスクへの記録動作を中断させるとともに該バッファ用ＲＡＭに記憶されている信号の量が再開設定値まで増加したとき中断前にディスク記録された信号を再生させ、その再生された信号より得られる同期信号と記録用基準信号との同期処理に基づいて記録中断位置より記録動作を再開させるように構成された光ディスク記録再生装置において、記録動作開始後ディスクに記録された信号量が所定量に達する前に記録中断動作が行われたとき、ディスクのウォブル信号より得られる同期信号と記録用基準信号との同期処理に基づいて記録動作を再開させるようにしたので、同期処理を確実に行うことが出来る。従って、本発明によれば、従来のようにエラー処理されることがなく、記録動作を支障無く行うことが出来る。
【００５４】
また、本発明は、記録信号量を記録信号のブロック数にて測定するようにしたので、ブロック毎に得られる同期信号を利用して同期処理を行う場合には、同期処理の可否を正確に認識することが出来るという利点を有している。
【図面の簡単な説明】
【図１】本発明に係る光ディスク記録再生装置の一実施例を示すブロック回路図である。
【図２】本発明の記録制御方法を説明するための動作説明図である。
【符号の説明】
１        ディスク
２        光学式ピックアップ
４        ピックアップ制御回路
５        デジタル信号処理回路
７        コンピューター装置
８        システム制御回路
１１        バッファ用ＲＡＭ
１５        サーボエラー検出回路
【図１】
0003831655.tif 000002
【図２】
0003831655.tif 000003